(57)【要約】      （修正有）【課題】冬期、寒冷時等の寒い状態の時に、人の頭部と肩部とを保温し、安眠に役立つ保温具を提供する。【解決手段】ドーム形状の組立て式の枠体と、該枠体に包皮する保温シートとでなる人の頭部と肩部とを保温する保温具であって、枠体に包皮した保温シートとで空間部を構成し、空間部に、就寝時の人の頭部と肩部とを設けるとともに、空間部に人の頭部と肩部とを収容するために、保温シートの一方を開放し、また、人の頭部と肩部とを保温するために、保温シートの他方と側方を閉塞する構成とした。【選択図】図１
0003167250.tif 000002
【実用新案登録請求の範囲】
【請求項１】
ドーム形状の枠体と、この枠体に包皮する保温シートとでなる人の頭部と肩部とを保温する保温具であって、
前記枠体の収容の容易化を図るために、この枠体を組立て可能とし、また、この枠体に包皮した前記保温シートとで空間部を構成し、この空間部に、就寝時の人の頭部と肩部とを設けるとともに、この空間部に前記人の頭部と肩部とを収容するために、保温シートの一方を開放し、また、この人の頭部と肩部とを保温するために、この保温シートの他方と側方を閉塞する構成とした保温具。
【請求項２】
請求項１に記載の保温具であって、
前記枠体は、入れ子式のアーチ骨格体が対であり、この対のアーチ骨格体は、複数本の差渡し骨格体を連繋して立設し、また、この対のアーチ骨格体の足部を、それぞれ紐で連繋する構成とした保温具。
【請求項３】
請求項１に記載の保温具であって、
前記差渡し骨格体を、伸縮可能とする構成とした保温具。
【請求項４】
請求項１に記載の保温具であって、
前記アーチ骨格体に係止片を付設し、この係止片を利用し、前記複数本の差渡し骨格体を所定の箇所に係止可能とする構成とした保温具。
【考案の詳細な説明】
【技術分野】
【０００１】
本考案は、冬期、寒冷時等の寒い状態の時に、人の頭部と肩部とを保温、又は安眠に役立つ保温具に関する。
【背景技術】
【０００２】
冬期、寒冷時等の寒い状態の時に、人の頭部と肩部が冷え、その結果、安眠が妨げられ、かつ睡眠不足と、場合により疾病の要因となる。これを解決する、最も簡易で、効果があるのが、人の頭部と肩部を冷えから保護することである。
【０００３】
この解決策として、先行文献に、各種の構造が開示されているので、以下に説明する。
【０００４】
文献（１）は、特開２００６−２８９０００（実用新案登録第３１３８２０１号）の「防寒用フード」である。この発明は、アーチ形のパイプを備えた枠体に雌面ファスナーを設け、布団の雄面ファスナーを、雌面ファスナーに噛合してセットする構造である。この構造では、組立て分解に困ること、開放口が大きく、冷気の侵入があり、保温効果に劣ること、等が考えられる。
【０００５】
また、文献（２）は、特開２００７−８９８６２の「頭部顔面用ドームとその使用方法」である。この発明は、数本のアーチ状骨の両端を、環体に枢支し、このアーチ状骨を利用してネット、布帛等のカバーを包皮する構造であり、人の頭部と肩部を隠蔽可能とすることを特徴とし、保温とともに、花粉症等からの保護と安眠・癒しの確保と、また、院内感染、その他の感染等の病気発症回避等を図ることにある。しかし、人の頭部と肩部を隠蔽可能とする構造であり、有益である反面、使用に抵抗感があること、緊急時において、使用者の状況が把握できないこと、等の問題を抱えている。
【０００６】
文献（３）は、特開２００６−６６４３の「幌付きベッド」である。この発明は、ベッド全体をプリーツ状の幌布で隠蔽する構造である。幌布に邪魔されることなく、ベッドへの昇降を容易にすることと、安眠と防寒等を意図する。しかし、この発明は、ベッドと一体の構造であり、通常の布団への使用は困難視される。
【０００７】
その他として、文献（４）として、特開平９−１５４６７８号の「安眠遮蔽カバー」があり、文献（１）、又は文献（２）と略同じ構造（考え方）と効果である。さらに文献（５）として、実用新案登録第３０２３５２４号の「保温安眠枠、及び保温安眠布団」があり、文献（１）、又は文献（２）と略同じ構造と効果である。
【０００８】
【特許文献１】特開２００６−２８９０００
【特許文献２】特開２００７−８９８６２
【特許文献３】特開２００６−６６４３
【特許文献４】特開平９−１５４６７８号
【特許文献５】実用新案登録第３０２３５２４号
【考案の概要】
【考案が解決しようとする課題】
【０００９】
前述した文献（１）の構造では、組立て分解に困ること、開放口が大きく、冷気の侵入があり、保温効果に劣ること、等が考えられる。また、布団は特注であり、コストの問題と、不使用時に邪魔となること、等の改良点がある。
【００１０】
また、文献（２）−文献（５）の構造は、人の頭部と肩部を隠蔽可能とすることを特徴とする構造であり、前述した効果は期待できる。しかし、その反面、収容・汎用性（布団への転用等）に困ること、コストの上昇が考えられること、等の改良点がある。
【００１１】
上記に鑑み、本考案は、［１］として、保温シートと布団又は床面で形成される空間部に前記人の頭部と肩部とを収容するために、保温シートの一方を開放し、また、この人の頭部と肩部とを保温するために、この保温シートの他方を閉塞する構成とし、冬期、寒冷時等の寒い状態の時に、人の頭部と肩部の冷えをなくし、その結果、安眠・睡眠の確保と、疾病回避を図ること、等を意図する。また、［２］として、枠体を、組立て可能とすることで、収容の容易化と（一年で、略４ヶ月〜５ヶ月である）、布団、睡眠空間、又は部屋を有効に利用すること、等を意図する。さらに、［３］として、アーチ骨格体、及び／又は、差渡し骨格体を伸縮可能とすることで、コンパクトな収容が図れ、利便性の向上と、部屋、倉庫等の収容空間を有効利用できること、使用意思の向上等に役立つことを意図する。［４］として、アーチ骨格体と差渡し骨格体との係止を確実にし、枠体の安定性を確保することと、布団の如く、厚手のものであっても使用可能とすること、冬期、寒冷時等の酷寒状態の時においても、保温効果と、安眠等を確保すること、等を意図する。
【課題を解決するための手段】
【００１２】
請求項１の考案は、前記［１］と、［２］とを図る。
【００１３】
請求項１は、ドーム形状の枠体と、この枠体に包皮する保温シートとでなる人の頭部と肩部とを保温する保温具であって、
前記枠体の収容の容易化を図るために、この枠体を組立て可能とし、また、この枠体に包皮した前記保温シートとで空間部を構成し、この空間部に、就寝時の人の頭部と肩部とを設けるとともに、この空間部に前記人の頭部と肩部とを収容するために、保温シートの一方を開放し、また、この人の頭部と肩部とを保温するために、この保温シートの他方と側方を閉塞する構成とした保温具である。
【００１４】
請求項２・３の考案は、前記［１］−［３］を図る。
【００１５】
請求項２は、請求項１に記載の保温具であって、
前記枠体は、入れ子式のアーチ骨格体が対であり、この対のアーチ骨格体は、複数本の差渡し骨格体を連繋して立設し、また、この対のアーチ骨格体の足部を、それぞれ紐で連繋する構成とした保温具である。
【００１６】
請求項３は、請求項１に記載の保温具であって、
前記差渡し骨格体を、伸縮可能とする構成とした保温具である。
【００１７】
請求項４の考案は、前記［１］と、［２］と、［４］を図る。
【００１８】
請求項４は、請求項１に記載の保温具であって、
前記アーチ骨格体に係止片を付設し、この係止片を利用し、前記複数本の差渡し骨格体を所定の箇所に係止可能とする構成とした保温具である。
【考案の効果】
【００１９】
請求項１の考案は、ドーム形状の枠体と、枠体に包皮する保温シートとでなる人の頭部と肩部とを保温する保温具であって、
枠体の収容の容易化を図るために、枠体を組立て可能とし、また、枠体に包皮した保温シートとで空間部を構成し、空間部に、就寝時の人の頭部と肩部とを設けるとともに、空間部に人の頭部と肩部とを収容するために、保温シートの一方を開放し、また、人の頭部と肩部とを保温するために、保温シートの他方と側方を閉塞する構成とした保温具である。
【００２０】
従って、請求項１は、下記の［１］と、［２］を達成できる効果がある。
［１］は、保温シートと布団又は床面で形成される空間部に前記人の頭部と肩部とを収容するために、保温シートの一方を開放し、また、この人の頭部と肩部とを保温するために、この保温シートの他方を閉塞する構成とし、冬期、寒冷時等の寒い状態の時に、人の頭部と肩部の冷えをなくし、その結果、安眠・睡眠の確保と、疾病回避が図れること、等が期待できる。
［２］は、枠体を、組立て可能とすることで、収容の容易化と（一年で、略４ヶ月〜５ヶ月である）、布団、睡眠空間、又は部屋を有効に利用できること、等がある。
【００２１】
請求項２の考案は、請求項１に記載の保温具であって、
枠体は、入れ子式のアーチ骨格体が対であり、対のアーチ骨格体は、複数本の差渡し骨格体を連繋して立設し、また、対のアーチ骨格体の足部を、それぞれ紐で連繋する構成とした保温具である。
【００２２】
請求項３の考案は、請求項１に記載の保温具であって、
差渡し骨格体を、伸縮可能とする構成とした保温具である。
【００２３】
従って、請求項２・３は、上記の［１］と、［２］と、さらに下記の［３］を達成できる効果がある。
［３］は、アーチ骨格体、及び／又は、差渡し骨格体を伸縮可能とすることで、コンパクトな収容が図れ、利便性の向上と、部屋、倉庫等の収容空間を有効利用できること、使用意思の向上等に役立て得る。
【００２４】
請求項４の考案は、請求項１に記載の保温具であって、
アーチ骨格体に係止片を付設し、係止片を利用し、複数本の差渡し骨格体を所定の箇所に係止可能とする構成とした保温具である。
【００２５】
従って、請求項４は、上記の［１］と、［２］と、さらに下記の［４］を達成できる効果がある。
［４］は、アーチ骨格体と差渡し骨格体との係止を確実にし、枠体の安定性が確保できることと、布団の如く、厚手のものであっても使用可能となること、冬期、寒冷時等の酷寒状態の時においても、保温効果と、安眠等が確保できること、等である。
【図面の簡単な説明】
【００２６】
【図１】使用状態の一例を示した縮尺斜視図
【図２】保温具のドーム形状の枠体を示した断面図
【図３】保温具のドーム形状の枠体を示した斜視図
【図４】アーチ骨格体と差渡し骨格体との係止関係の一例を示した拡大斜視図
【図５】図４の係止関係を拡大して示した側面図
【図６】アーチ骨格体と差渡し骨格体とを分解して示した斜視図
【考案を実施するための形態】
【００２７】
１はドーム形状の枠体で、この枠体１は、図３の如く、少なくとも対のアーチ骨格体２と、このアーチ骨格体２に差渡し係止する複数本の差渡し骨格体３とで構成する。
【００２８】
そして、このアーチ骨格体２は、例えば、ビニールパイプで構成し、撓み可能とすること、また、入れ子式の構造として、伸縮可能とする。この入れ子式の例では、太いアーチ骨格管体２００と、この太いアーチ骨格体２００に差込まれる細いアーチ骨格管体２０１とで構成する。従って、使用時、例えば、図３では、太いアーチ骨格管体２００から細いアーチ骨格管体２０１を引出し、長い（伸張）状態で、アーチ形に曲折して使用する。そして、この伸張状態において、太いアーチ骨格管体２００から、引出した細いアーチ骨格管体２０１の抜止め用の停止機構を、この細いアーチ骨格管体２０１の差込み側の先端部２０１ａに設けることが望ましい。尚、図６の如く、細いアーチ骨格管体２０１の収容（差込み）については、容易かつ確実な、収容が図れる構造を採用する。例えば、図示しないが、その差込み側の先端部２０１ａに、差込みリングを設けること、又は差込みガイドとなる細いアーチ骨格管体２０１の外側にガイドリングを設け、太いアーチ骨格管体２００の内面２００ａを摺動する構造とか、又は太いアーチ骨格管体２００の周面２００ｂにガイド溝を設け、このガイド溝に入るガイド片を細いアーチ骨格管体２０１の周面２０１ｂに設ける構造とかが望ましい。
【００２９】
この太いアーチ骨格管体２００の周面２００ｂと、細いアーチ骨格管体２０１の周面２０１ｂには、固定式、又は移動式の係止片６を複数個設ける。この係止片６には、差渡し骨格体３の両端部３００に設けた係止具５を係止することで、前記図３の如く、曲折した、対の太いアーチ骨格管体２００と、対の細いアーチ骨格管体２０１間に、この複数本の差渡し骨格体３を差渡し係止する。これにより、ドーム形状の枠体１が組立てられる。
【００３０】
尚、差渡し骨格体３は、入れ子式、折畳み式等の構造を利用して、伸縮自在にすることで、収容の容易化と、対の太いアーチ骨格管体２００と細いアーチ骨格管体２０１でなるアーチ骨格体２と、このアーチ骨格体２間の間隔調整で、保温具の大小に対応でき、有益性の確保、等を図る。
【００３１】
図中８は保温シートで、この保温シート８は、保温性の高い毛布の上に、気密性に適したビニールを重ねた構造が、好ましい一例である。しかし、その他、薄手の布団、毛布、布地、ビニール等の組合せ構造も可能である。この保温シート８は、枠体１に包皮するが、人の頭部と肩部とを保温するために、この保温シート８の他方８ｂと両側方８ｃ、８ｃ（両側面）を閉塞し、また、人の頭部と肩部とを収容するために、この保温シートの一方８ａを開放する。そして、この枠体１に保温シート８を包皮することで、この枠体１と敷き布団１０、又は畳１１との間には、空間部１２が形成される。
【００３２】
図中１３は紐（糸、ハンド、ワイヤ、棒、ベース、帯板、扇板等である）で、望ましくは、その両端に引掛け環１３００を有する紐１３とする。この紐１３の引掛け環１３００を、アーチ骨格体２の両端脚部に係止することで、このアーチ骨格体２の固定と、アーチ形状を確保する。尚、前記ベースでは、枠体１の端部を係止する構造とする。また、帯板、扇板は、伸縮構造とか展開構造とする。
【００３３】
以下、保温具の組立てと、その使用の一例を説明すると、細いアーチ骨格体２０１を、太いアーチ骨格体２００より引出し、例えば、細いアーチ骨格体２０１と太いアーチ骨格体２００とを同じ長さとする。尚、この引出しの際に、細いアーチ骨格体２０１に設けた、少なくとも、中間の係止片６が移動し、所定の箇所で停止することが望ましい（また、細いアーチ骨格体２０１に設けた、端部２０１ｃはストッパーとして役立てることを考慮し、固定とする）。そして、この引出した同じ長さのアーチ骨格体２を二組作成する。そして、それぞれのアーチ枠体２の脚部（両端）に、紐１３の引掛け環１３００を引掛けて、アーチ形状とする。この対のアーチ形状のアーチ骨格体２間に、複数本の差渡し骨格体３を取付ける。例えば、複数本の差渡し骨格体３の両端部３００に設けた係止具５を、対のアーチ骨格体２（太いアーチ骨格体２００と細いアーチ骨格体２０１）に複数個設けたそれぞれの係止片６に、係止することで、図３に示したドーム形状の枠体１が形成される。
【００３４】
この枠体１を、例えば、敷き布団１０（ベッドの例でも同じと考えられる）の上に設置し、必要により、紐１３、又はシーツ、毛布（図示せず）等の上に枕１５を置き、この枠体１が移動しないように（固定）する。また、この枠体１の固定は、図示しないが、面ファスナーで紐１３、及び／又は、枠体１を止める方法、又は紐１３を敷き布団１０の下側に差入れる方法等も可能である。このような枠体１を固定することで、所定の位置での使用と、安心した使用とが図れる。続いて、この枠体１に保温シート８を包皮する（保温シート８で被う）。この包皮は、原則として、止め具１６は使用しないが、形状の確保と、一方８ａを開放するために使用することもあり得る。その一例を説明すると、枠体１の他方８ｂと両側方８ｃ、８ｃに保温シート８を多めに包皮し、この他方８ｂと両側方８ｃ、８ｃを閉塞する。この閉塞で、他方８ｂと両側方８ｃ、８ｃからの熱の放散と、風の侵入を防止し、人の頭部と肩部（首部を含む）とを保温する。また、一方８ａは、開放し、人の頭部と肩部との収容と、又は空気の出入りを図り、かつ威圧感を軽減する。また、安心感と、外部との接触を図る。前記止め具１６は、図１の如く、一方８ａの保温シート８の重ね箇所を掛止するか、又は保温シート８と枠体１との固定箇所に設ける。これにより、保温シート８の形状確保と、ズレ防止、並びに開放状態の確保等を図る。
【００３５】
この保温シート８を包皮した状態で就寝するに際し、空間部１２に人の頭部と肩部とを収容するとともに、この保温シート８の一方８ａに掛け布団１０ａを敷設する。これにより、前記の如く、枠体１の他方８ｂと両側方８ｃ、８ｃに保温シート８で閉塞して保温し、かつその一方８ａは、開放して空気の出入りを図る方法である。
【００３６】
尚、この保温具の分解と、収容は、前述の組立ての逆操作が望ましい。
【符号の説明】
【００３７】
１            枠体
２            アーチ骨格体
２００        太いアーチ骨格管体
２００ａ      内面
２００ｂ      周面
２０１        細いアーチ骨格管体
２０１ａ      先端部
２０１ｂ      周面
２０１ｃ      端部
３            差渡し骨格体
３００        端部
５            係止具
６            係止片
８            保温シート
８ａ          一方
８ｂ          他方
８ｃ          側方
１０          敷き布団
１０ａ        掛け布団
１１          畳
１２          空間部
１３          紐
１３００      引掛け環
１５          枕
１６          止め具
【図１】
0003167250.tif 000003
【図２】
0003167250.tif 000004
【図３】
0003167250.tif 000005
【図４】
0003167250.tif 000006
【図５】
0003167250.tif 000007
【図６】
0003167250.tif 000008